(57)【要約】【課題】ケース内に積層されて収納されている樹脂版の重量が増加した場合にも、下層の樹脂版に作用する荷重やこれによって生じうる変形を抑制する。【解決手段】樹脂版収納用ケース１０は、複数の樹脂版を積層して収納可能なケースであって、樹脂版が載置される樹脂版載置用板状部材２０を積層方向に複数層備える。積層方向に隣接する樹脂版載置用板状部材２０と樹脂版載置用板状部材２０との間であって、樹脂版載置用板状部材２０に載置された樹脂版の側方となる位置には側壁部材３０が配置されている。【選択図】図２
0003220466.tif 000002
【実用新案登録請求の範囲】
【請求項１】
複数の樹脂版を積層して収納可能なケースであって、
前記樹脂版が載置される樹脂版載置用板状部材を積層方向に複数層備え、
前記積層方向に隣接する前記樹脂版載置用板状部材と樹脂版載置用板状部材との間であって、前記樹脂版載置用板状部材に載置された前記樹脂版の側方となる位置には側壁部材が配置されている、樹脂版収納用ケース。
【請求項２】
前記樹脂版載置用板状部材に載置された前記樹脂版を挟んで対向する前記側壁部材どうしの間に梁部材が掛け渡されている、請求項１に記載の樹脂版収納用ケース。
【請求項３】
対向する前記側壁部材どうしの間に前記梁部材が複数掛け渡されている、請求項２に記載の樹脂版収納用ケース。
【請求項４】
前記複数の梁部材の一部または全部が互いに平行に配置されている、請求項３に記載の樹脂版収納用ケース。
【請求項５】
前記複数の梁部材の一部または全部が互いに交差する向きに配置されている、請求項３または４に記載の樹脂版収納用ケース。
【請求項６】
前記梁部材は帯状の部材で構成されている、請求項２から５のいずれか一項に記載の樹脂版収納用ケース。
【請求項７】
前記側壁部材および前記梁部材の一方または両方に、前記梁部材を前記側壁部材に係合させる係合部が形成されている、請求項２から６のいずれか一項に記載の樹脂版収納用ケース。
【請求項８】
前記樹脂版載置用板状部材および前記側壁部材の一方または両方に、前記樹脂版載置用板状部材に対する前記側壁部材の相対的な位置ずれを抑制する抑制部が形成されている、請求項１から７のいずれか一項に記載の樹脂版収納用ケース。
【請求項９】
前記抑制部は、前記側壁部材の内寸に合わせて配置され段部を形成する部材で構成されている、請求項８に記載の樹脂版収納用ケース。
【請求項１０】
前記抑制部は、前記樹脂版載置用板状部材に重ね合わせられた、該樹脂版載置用板状部材よりも小さい板材で構成されている、請求項９に記載の樹脂版収納用ケース。
【請求項１１】
前記側壁部材の周囲を覆う囲繞部材をさらに備える、請求項１から１０のいずれか一項に記載の樹脂版収納用ケース。
【請求項１２】
平面視で矩形に配置された前記側壁部材のうち隣接するものどうしが切欠き溝を利用して係合する構造である、請求項１から１１のいずれか一項に記載の樹脂版収納用ケース。
【請求項１３】
前記矩形の長辺に位置する前記側壁部材が、短辺に位置する前記側壁部材に対して前記切欠き溝によって上方にスライド可能に設けられている、請求項１２に記載の樹脂版収納用ケース。
【考案の詳細な説明】
【技術分野】
【０００１】
本考案は、樹脂版収納用ケースに関する。
【背景技術】
【０００２】
フレキソ印刷用の感光性樹脂版をはじめとする各種樹脂版を収納するための例えば段ボール製の樹脂版収納用ケースが利用されている。かかる収納用ケースは、収納した樹脂版を保管し、あるいは輸送する手段として好適である。
【０００３】
このような樹脂版収納用ケースとして、従来、樹脂版を緩衝材で挟みこみ、段ボールのケースに収納する構成の収納用ケースが提案されている（例えば特許文献１参照）。
【０００４】
また、樹脂版が収納された段ボールをより安定した状態で保管、輸送するために、積層された段ボールケースに囲繞材を設けた樹脂版収納用ケースも提案されている（例えば特許文献２参照）。
【０００５】
更には、段ボールケース以外の梱包形態の他にも、梱包枚数を多くし、効率的に保管、輸送するようにした組み立て可能な収納ケースが提案されている（例えば特許文献３参照）。
【先行技術文献】
【特許文献】
【０００６】
【特許文献１】実用新案登録第3203131号公報
【特許文献２】実用新案登録第3203232号公報
【特許文献３】実用新案登録第3205028号公報
【考案の概要】
【考案が解決しようとする課題】
【０００７】
しかしながら、上記のごとき従来の樹脂版収納用ケースでは、樹脂版が積層されて梱包されることから、ケース内に収納される樹脂版の重量が増加するにつれ、下層にある樹脂版に作用する重量も増加し、これによって変形を招くことが起こり得るといった課題があった。
【０００８】
そこで、本考案は、ケース内に積層されて収納されている樹脂版の重量が増加した場合にも、下層の樹脂版に作用する荷重やこれによって生じうる変形を抑制することができる樹脂版収納用ケースを提供することを目的とする。
【課題を解決するための手段】
【０００９】
かかる課題を解決するべく、本考案に係る樹脂版収納用ケースは、複数の樹脂版を積層して収納可能なケースであって、
樹脂版が載置される樹脂版載置用板状部材を積層方向に複数層備え、
積層方向に隣接する樹脂版載置用板状部材と樹脂版載置用板状部材との間であって、樹脂版載置用板状部材に載置された樹脂版の側方となる位置には側壁部材が配置されている、樹脂版収納用ケースである。
【００１０】
かかる構成の樹脂版収納用ケースによれば、樹脂版の積層荷重が樹脂版載置用板状部材によって各層に分散され、積層方向におけるある特定位置の樹脂版へ作用する過大な荷重やこれによって生じうる変形を抑制することができる。これによれば、樹脂版収納用ケースを、過大な局部的荷重が抑えられて安定した状態で保管ないしは搬送することができる。
【００１１】
上記のごとき樹脂版収納用ケースにおいて、樹脂版載置用板状部材に載置された樹脂版を挟んで対向する側壁部材どうしの間に梁部材が掛け渡されていてもよい。
【００１２】
上記のごとき樹脂版収納用ケースにおいて、対向する側壁部材どうしの間に梁部材が複数掛け渡されていてもよい。
【００１３】
上記のごとき樹脂版収納用ケースにおいて、複数の梁部材の一部または全部が互いに平行に配置されていてもよい。
【００１４】
上記のごとき樹脂版収納用ケースにおいて、複数の梁部材の一部または全部が互いに交差する向きに配置されていてもよい。
【００１５】
上記のごとき樹脂版収納用ケースにおいて、梁部材は帯状の部材で構成されていてもよい。
【００１６】
上記のごとき樹脂版収納用ケースにおいて、側壁部材および梁部材の一方または両方に、梁部材を側壁部材に係合させる係合部が形成されていてもよい。
【００１７】
上記のごとき樹脂版収納用ケースにおいて、樹脂版載置用板状部材および側壁部材の一方または両方に、樹脂版載置用板状部材に対する側壁部材の相対的な位置ずれを抑制する抑制部が形成されていてもよい。
【００１８】
上記のごとき樹脂版収納用ケースにおいて、抑制部は、側壁部材の内寸に合わせて配置され段部を形成する部材で構成されていてもよい。
【００１９】
上記のごとき樹脂版収納用ケースにおいて、抑制部は、樹脂版載置用板状部材に重ね合わせられた、該樹脂版載置用板状部材よりも小さい板材で構成されていてもよい。
【００２０】
上記のごとき樹脂版収納用ケースは、側壁部材の周囲を覆う囲繞部材をさらに備えていてもよい。
【００２１】
上記のごとき樹脂版収納用ケースは、平面視で矩形に配置された側壁部材のうち隣接するものどうしが切欠き溝を利用して係合する構造であってもよい。
【００２２】
上記のごとき樹脂版収納用ケースにおいて、矩形の長辺に位置する側壁部材が、短辺に位置する側壁部材に対して切欠き溝によって上方にスライド可能に設けられていてもよい。
【考案の効果】
【００２３】
本考案によれば、ケース内に積層されて収納されている樹脂版の重量が増加した場合にも、下層の樹脂版に作用する荷重やこれによって生じうる変形を抑制することができる。
【図面の簡単な説明】
【００２４】
【図１】樹脂版収納用ケースの一例を示す上方からの斜視図である。
【図２】樹脂版収納用ケースの一例を示す下方からの斜視図である。
【図３】側板と梁部材とを組み合わせた構成の概略を示す図である。
【図４】切欠き溝が形成された側板を示す図である。
【図５Ａ】樹脂版収納用ケースの一例を分解して示す図である。
【図５Ｂ】（ａ）底板の裏面の構成例を示す斜視図、（ｂ）底板の裏面の別の構成例を示す斜視図である。
【図５Ｃ】最下段（第１層）の底板、側板、梁部材の構成を示す分解斜視図である。
【図６】樹脂版収納用ケースの一例を示す平面図である。
【考案を実施するための形態】
【００２５】
以下、図面を参照しつつ本考案の好適な実施形態について詳細に説明する（図１等参照）。図１等においては、本考案を、樹脂版Ｐを積層した状態で収納可能な樹脂版収納用ケース１０に適用した例を説明する。
【００２６】
樹脂版収納用ケース１０は、底板２０、側板３０、梁部材４０を含む。樹脂版収納用ケース１０は、さらに、スリーブ部材５０、蓋部材６０、パレット７０などを含んでいてもよい。この樹脂版収納用ケース１０には、フレキソ印刷用感光性樹脂版といった各種樹脂版（図５Ａにおいて符号Ｐを付して示す）とともに、必要に応じて緩衝材（図示省略）などが収納される（図５Ａ等参照）。
【００２７】
底板２０は、基本的にはその上面に樹脂版Ｐが載置される部材（樹脂版載置用板状部材）として用いられる。本実施形態では矩形の底板２０を採用している（図１等参照）。底板２０の素材は特に限定されるものではないが、好適例として、木材、段ボールを挙げることができる。段ボール製とする場合は、例えば、鉛直方向に孔が延びるハニカム構造の段ボールシートによって矩形に形成することで耐圧性能に優れた底板２０とすることができる。
【００２８】
底板２０は複数層、例えば本実施形態であれば第１層から第３層までの３層ぶんに相当する３枚の底板として下から第１底板２０Ａ、第２底板２０Ｂ、第３底板２０Ｃが設けられ、さらに、その上に第４底板２０Ｄが設けられている（図２等参照）。本明細書では便宜上、第４底板２０Ｄと称するが、樹脂版Ｐはこの第４底板２０Ｄの上面には載置されなくてよい（図１等参照）。第４底板２０Ｄを採用せず、蓋部材６０を被せる構成としてもよい。
【００２９】
側板３０は、積層方向に隣接する底板２０どうしの間であって、底板２０に載置される樹脂版Ｐの側方となる位置に配置され側壁のように機能する部材である（図１〜図４参照）。第１側板３０Ａは第１底板２０Ａと第２底板２０Ｂの間に配置される。第２側板３０Ａは第２底板２０Ｂと第３底板２０Ｃの間に配置される。第３側板３０Ｃは第３底板２０Ｃと第４底板２０Ｄの間（第４底板２０Ｄがない場合は、単に第３底板２０Ｃの上）に配置される（図２等参照）。
【００３０】
側板３０の素材もまた特に限定されるものではないが、下記のように荷重を受ける部材であることから、それに適した素材であることが好ましい。好適例として、木材、段ボールを挙げることができる。
【００３１】
側板３０の厚み（鉛直方向の高さ）は、第１層〜第３層の各層において複数枚載置される樹脂版Ｐの厚みよりも高くなるように設定される。したがって、例えば第１層について説明すれば、第１底板２０Ａの上に複数枚が重ねて載置された樹脂版Ｐと、その上方に位置する第２底板２０Ｂ（の底面）との間には空間が形成されることになる。このため、第２層と第３層のそれぞれに載置された樹脂版Ｐの重量および底板２０（第２底板２０Ｂ、第３底板２０Ｃ、さらには第４底板２０Ｄ）の重量は側板３０（第１側板３０Ａ）に支持され、それらによる荷重が第１層に載置された樹脂版Ｐに作用することはない。これは、第２層、第３層に載置された樹脂版Ｐに関しても同様である。
【００３２】
このように、いわば重箱のごとき構造である本実施形態の樹脂版収納用ケース１０においては、各層に収納される樹脂版Ｐの積層枚数が増えて重量が増加した場合にも、その下層の樹脂版Ｐに荷重が直に作用することがなく、これによって生じうる変形が抑制される。このことは、層数をさらに多くした場合にも同様であり、より有効である。
【００３３】
上記のごとき側板３０の具体的な構成は特に限定されない。一例として、本実施形態では、長辺を構成する一対の長い側板３０Ｌと、短辺を構成する一対の短い側板３０Ｓとを組み合わせて平面視で矩形の枠組みを形成し、１層ぶんの側板３０として用いる（図３、図６参照）。
【００３４】
また、このように平面視で矩形に配置された側板３０のうち隣接するものどうしは、切欠き溝３２を利用して係合する構造であってもよい（図４等参照）。切欠き溝３２は、長い側板３０Ｌと短い側板３０Ｓの一方にのみ設けられていてもよい（図４参照）。切欠き溝３２は、側板３０を組み合わせたとき鉛直方向となるように形成されていてもよいし、斜めに形成されていてもよい。鉛直方向高さを決定する板幅が同じものを組み合わせる場合には、長い側板３０Ｌと短い側板３０Ｓの両方に切欠き溝３２を設けることがよい。
【００３５】
また、上記のように切欠き溝３２を利用して係合する構造とする場合には、矩形の長辺に位置する長い側板３０Ｌが、短辺に位置する短い側板３０Ｓに対し切欠き溝３２によって上方にスライド可能に設けられていてもよい（図４参照）。こうした場合には、長い側板３０Ｌを言うなれば岡持ちのごとく上方にスライドさせて開口状態とし、当該層に載置されている樹脂版Ｐを、その開口から１枚ずつ取り出すことができる。この際、矩形の樹脂版Ｐを当該樹脂版Ｐの短手方向に取り出すことができるので、取り出しに要する移動距離が少なくて済む。本実施形態のような３層構造の樹脂版収納用ケース１０においては、３層構造のケースを一段毎使用する際、蓋としても機能している底板２０を一度外し、一対の長い側板３０（３０Ｌ）の片方のみを上記のごとく上方にスライドさせ、開口から樹脂版Ｐを取り出したら、当該側板３０（３０Ｌ）を下方にスライドさせてから、再度、底板２０で蓋をする。
【００３６】
梁部材４０は、載置された樹脂版Ｐを挟んで対向する側板３０どうしの間に掛け渡される（図３参照）。梁部材４０は、
・対向する側板３０どうしの間隔を維持する
・底板の２０の中央付近を支持する
・構造物として機能し、側板３０の強度を向上させる
といった利点をもたらす。梁部材４０の上辺に滑り止めの機能をもたせ、その上に配置される底板２０の滑り止めとしての機能を併有させてもよい。
【００３７】
このような梁部材４０は、対向する側板３０どうしの間に複数掛け渡されていてもよい（図４、図５Ｃ参照）。梁部材４０が複数である場合、これら複数の梁部材４０の一部または全部が互いに平行に配置されていてもよいし（図４参照）、複数の梁部材４０の一部または全部が互いに十字状になど交差する向きに配置されていてもよい。なお、本実施形態では一対の長い側板３０Ｌどうしの間に複数の梁部材４０を掛け渡した形態を例示しているが（図５Ａ、図５Ｃ参照）、この他、一対の短い側板３０Ｓどうしの間に複数の梁部材４０を掛け渡すようにしてもよい。
【００３８】
また、梁部材４０は、帯状の部材（支え板）で構成されていてもよい。梁部材４０は、曲げ剛性が高くなる断面形状ないしは素材を有するように形成されていてもよい。梁部材４０または側板３０の一方または両方に、梁部材４０を側板３０に係合させるための切欠き溝（係合部）３４、切欠き溝（係合部）４２が適宜設けられている（図５Ｃ等参照）。あるいは、梁部材４０が、針金のごとき線状の部材で構成されていてもよい（図４参照）。
【００３９】
また、底板２０および側板３０の一方または両方に、底板２０に対する側板３０相対的な位置ずれを抑制する抑制部が形成されていてもよい。本実施形態では、底板２０の上面と下面のそれぞれに側板３０の内寸に合わせて板材を配置して段部を設け、該段部により、抑制部として機能するストッパー２２を形成している（図２、図５Ｂ参照）。板材は、底板２０の外形よりも小さい矩形の１枚の板材であってもよいし（図２、図５Ｂ（ａ）参照）、底板２０の四隅付近に配置されるさらに小さい板材であってもよい（図２、図５Ｂ（ｂ）参照）。長方形の２枚の板材を使ってストッパー２２を形成してもよい。
【００４０】
本実施形態の樹脂版収納用ケース１０は、スリーブ部材５０、蓋部材６０およびパレット７０を備える（図５Ａ〜図６参照）。
【００４１】
スリーブ部材５０は、開口部が矩形の筒状の部材からなる。該スリーブ部材５０は、パレット７０上に積層された底板２０と側板３０の上方から被せられ、これら底板２０と側板３０の周囲を覆う囲繞部材として機能し、積層された樹脂版Ｐ、底板２０、側板３０、梁部材４０などが横ずれするのを抑える。本実施形態のスリーブ部材５０は、４つの面が連続する矩形の筒状に形成されており、底板２０および側板３０の上方から被せられるようになっている。スリーブ部材５０は、軽量であって尚かつ所定の強度を備えるもの、例えば強化ダンボールで形成されたものであることが好ましい。これによれば、当該スリーブ部材５０を持ち上げ、上部から被せるという手作業を行いやすく、また、使用時以外は畳んでおくことができる。
【００４２】
蓋部材６０は、スリーブ部材５０の上部開口に被せられる被せ蓋であり、スリーブ部材５０、パレット７０とともに箱状の梱包体を形成する。本実施形態の蓋部材６０は、矩形の天面板と、該天面板よりも一回り小さくスリーブ部材５０の上部開口内に収まる内板とを重ね合わせて形成されている（図５Ａ参照）。本実施形態の蓋部材６０は、スリーブ部材５０の開口部の形状・大きさに合わせて形成されており、開口部にはめ込まれて、当該スリーブ部材５０の捻じれ、傾きといった変形を抑制する。スリーブ部材５０の上部開口に被せられた蓋部材６０は、樹脂版収納用ケース１０に例えばフレキソ印刷用感光性樹脂版が収納されている場合に当該フレキソ印刷用感光性樹脂版に光が照射されるのを防ぎ、かつ、樹脂版収納用ケース１０に塵埃が入り込むのを抑止する。
【００４３】
パレット７０は、樹脂版収納用ケース１０を積層して積載可能な積荷台である。本実施形態のパレット７０は木製あるいは樹脂製であり、樹脂版収納用ケース１０が積載可能な大きさの矩形である。パレット７０として、四辺のすべてにフォークリフトのフォークを差し込み可能な空隙を備えたものを採用してもよい。こうした場合には、前後左右のいずれからもフォークを差し込み運搬することが可能である（図５Ａ参照）。
【００４４】
なお、本実施形態では用いていないが、パレット７０上に載置される台座を採用してもよい。パレット７０と樹脂版収納用ケース１０との間に台座を介在させれば、とくに最下段（第１層）の底板２０等を保護することができる。
【００４５】
上記のごとく構成された樹脂版収納用ケース１０によれば、底板２０を通じて樹脂版Ｐの積層荷重を各層に分散させることができるので、積層方向におけるある特定位置の樹脂版Ｐに過大な荷重が作用すること、これによって樹脂版Ｐに変形が生じることを抑制することができる。したがって、樹脂版Ｐへの過大な局部的荷重が抑えられ安定した状態で樹脂版収納用ケース１０を保管ないしは搬送することができる。
【００４６】
なお、上述の実施形態は本考案の好適な実施の一例ではあるがこれに限定されるものではなく本考案の要旨を逸脱しない範囲において種々変形実施可能である。例えば、上記の実施形態においては、抑制部として機能するストッパー２２として、複数の板材を重ね合わせて段部を形成した構造の底板２０を例示したがこれは好適な一例にすぎない。この他、図示はしていないが、例えば底板２０に形成した凹部などを利用してストッパーを形成することもできる。
【産業上の利用可能性】
【００４７】
本考案は、各種樹脂版を収納する樹脂版収納用ケースに適用して好適である。
【符号の説明】
【００４８】
１０…樹脂版収納用ケース、２０…底板（樹脂版載置用板状部材）、２２…ストッパー（抑制部）、３０…側板（側壁部材）、３２…切欠き溝（係合部）、３４…切欠き溝（係合部）、４０…梁部材、４２…切欠き部（係合部）、５０…スリーブ（囲繞部材）、６０…蓋部材、７０…パレット、Ｐ…樹脂版
【図１】
0003220466.tif 000003
【図２】
0003220466.tif 000004
【図３】
0003220466.tif 000005
【図４】
0003220466.tif 000006
【図５Ａ】
0003220466.tif 000007
【図５Ｂ】
0003220466.tif 000008
【図５Ｃ】
0003220466.tif 000009
【図６】
0003220466.tif 000010